(57)【要約】【課題】支持体に清掃具を着脱容易に取付けることができるようにすること。【解決手段】本考案では、柄の下端に左右一対の支持体を開閉自在に取付け、この支持体に可撓性及び吸水性を有する清掃具を着脱自在に取付けるとともに、前記支持体に操作具を連動連結して、この操作具を操作することによって、左右の支持体を開放させて前記清掃具を直線状に保持する清掃姿勢と、左右の支持体を閉塞させて前記清掃具を中心部で折曲することによって圧縮脱水する脱水姿勢とに姿勢変更可能に構成した清掃用具において、清掃具の裏面に係止片を形成するとともに、この係止片を係入するための係入孔を支持体に形成し、この係入孔の一部に幅狭の係止爪を形成して、この係止爪で前記係止片を支持するように構成することにした。【選択図】図７
0003121582.tif 000002
【実用新案登録請求の範囲】
【請求項１】
柄の下端に左右一対の支持体を開閉自在に取付け、この支持体に可撓性及び吸水性を有する清掃具を着脱自在に取付けるとともに、前記支持体に操作具を連動連結して、この操作具を操作することによって、左右の支持体を開放させて前記清掃具を直線状に保持する清掃姿勢と、左右の支持体を閉塞させて前記清掃具を中心部で折曲することによって圧縮脱水する脱水姿勢とに姿勢変更可能に構成した清掃用具において、
清掃具の裏面に係止片を形成するとともに、この係止片を係入するための係入孔を支持体に形成し、この係入孔の一部に幅狭の係止爪を形成して、この係止爪で前記係止片を支持するように構成したことを特徴とする清掃用具。
【請求項２】
前記係止爪は、各係入孔における前記支持体の開閉中心から離反する側に形成したことを特徴とする請求項１に記載の清掃用具。
【請求項３】
前記係止爪は、前後に対向させて形成した係入孔の離反する側に形成したことを特徴とする請求項１又は請求項２に記載の清掃用具。
【考案の詳細な説明】
【技術分野】
【０００１】
本考案は、清掃用具に関するものであり、特に、柄の下端部において清掃具を直線状に保持する清掃姿勢と清掃具を中心部で折曲することによって圧縮脱水する脱水姿勢とに姿勢変更可能に構成した清掃用具に関するものである。
【背景技術】
【０００２】
従来より、柄の下端に吸水性を有する清掃具を着脱自在に取付けるとともに、この清掃具を柄に取付けた状態のまま絞ることができるようにした清掃用具が使用されている。
【０００３】
この従来の清掃用具は、柄の下端に左右一対の支持体を開閉自在に取付け、この支持体に可撓性及び吸水性を有する清掃具を着脱自在に取付けるとともに、支持体に操作具を連動連結して、この操作具を操作することによって、左右の支持体を開放させて清掃具を直線状に保持する清掃姿勢と、左右の支持体を閉塞させて前記清掃具を中心部で折曲することによって圧縮脱水する脱水姿勢とに姿勢変更可能に構成していた。
【０００４】
しかも、従来の清掃用具は、清掃具の裏面に嵌入片を形成する一方、支持体に嵌入孔を形成し、支持体の嵌入孔に清掃具の嵌入片を嵌入することによって、支持体で清掃具を支持するように構成していた。
【特許文献１】実用新案登録第３１１１１２６号公報
【考案の開示】
【考案が解決しようとする課題】
【０００５】
ところが、上記従来の清掃用具では、支持体の嵌入孔に清掃具の嵌入片を嵌入することによって清掃具を支持体で支持するように構成していたために、支持体に形成する嵌入孔や清掃具に形成する嵌入片を精度よく形成しなければならなかった。
【０００６】
すなわち、支持体に形成する嵌入孔のほうが清掃具に形成する嵌入片よりも大き過ぎる場合には、清掃用具の使用中に清掃具が支持体から外れてしまい、清掃作業の妨げとなっていた。
【０００７】
一方、支持体に形成する嵌入孔のほうが清掃具に形成する嵌入片よりも小さ過ぎる場合には、支持体に清掃具を装着することが困難となったり、清掃具を交換するために清掃具を支持体から取り外すことが困難となり、この場合にも清掃作業の妨げとなっていた。
【０００８】
そのため、上記従来の清掃用具では、支持体に形成する嵌入孔や清掃具に形成する嵌入片を精度よく形成しなければならず、清掃用具の製造コストが増大していた。
【課題を解決するための手段】
【０００９】
そこで、請求項１に係る本考案では、柄の下端に左右一対の支持体を開閉自在に取付け、この支持体に可撓性及び吸水性を有する清掃具を着脱自在に取付けるとともに、前記支持体に操作具を連動連結して、この操作具を操作することによって、左右の支持体を開放させて前記清掃具を直線状に保持する清掃姿勢と、左右の支持体を閉塞させて前記清掃具を中心部で折曲することによって圧縮脱水する脱水姿勢とに姿勢変更可能に構成した清掃用具において、清掃具の裏面に係止片を形成するとともに、この係止片を係入するための係入孔を支持体に形成し、この係入孔の一部に幅狭の係止爪を形成して、この係止爪で前記係止片を支持するように構成することにした。
【００１０】
また、請求項２に係る本考案では、前記請求項１に係る本考案において、前記係止爪は、各係入孔における前記支持体の開閉中心から離反する側に形成することにした。
【００１１】
また、請求項３に係る本考案では、前記請求項１又は請求項２に係る本考案において、前記係止爪は、前後に対向させて形成した係入孔の離反する側に形成することにした。
【考案の効果】
【００１２】
そして、本考案では、以下に記載する効果を奏する。
【００１３】
すなわち、請求項１に係る本考案では、柄の下端に左右一対の支持体を開閉自在に取付け、この支持体に可撓性及び吸水性を有する清掃具を着脱自在に取付けるとともに、支持体に操作具を連動連結して、この操作具を操作することによって、左右の支持体を開放させて清掃具を直線状に保持する清掃姿勢と、左右の支持体を閉塞させて清掃具を中心部で折曲することによって圧縮脱水する脱水姿勢とに姿勢変更可能に構成した清掃用具において、清掃具の裏面に係止片を形成するとともに、この係止片を係入するための係入孔を支持体に形成し、この係入孔の一部に幅狭の係止爪を形成して、この係止爪で係止片を支持するように構成しているために、清掃具や支持体を精度よく製造しなくても支持体に清掃具を着脱容易に取付けることができるので、清掃用具の製造コストを低減することができる。
【００１４】
また、請求項２に係る本考案では、係止爪を各係入孔における支持体の開閉中心から離反する側に形成しているために、操作具を操作することによって脱水姿勢に姿勢変更した際に、折曲された清掃具の係止爪には支持体の開閉中心から離反する方向に力が作用することになり、清掃具の係止片が支持体の係止爪に強固に係止されることになり、清掃姿勢から脱水姿勢に姿勢変更した際に清掃具が支持体から脱落してしまうのを防止することができる。
【００１５】
また、請求項３に係る本考案では、係止爪を前後に対向させて形成した係入孔の離反する側に形成しているために、清掃具を前方或いは後方のいずれの向きで使用しても、清掃具の係止片が支持体の係止爪に係止されることになり、清掃中に清掃具が支持体から脱落してしまうのを防止することができる。
【考案を実施するための最良の形態】
【００１６】
以下に、本考案に係る清掃用具の具体的な構成について図面を参照しながら説明する。
【００１７】
図１〜図３に示すように、清掃用具１は、棒状の柄２の下端に左右一対の支持体3,4を開閉機構５を介して左右に開閉自在に取付け、この支持体3,4に可撓性及び吸水性を有する清掃具６を着脱自在に取付けるとともに、支持体3,4に操作具７を操作機構８を介して連動連結している。
【００１８】
開閉機構５は、柄２の下端に正面視で逆Ｔ字状の保護カバー９を取付け、この保護カバー９の左右端部にリンク片10,11の基端部を左右回動自在に取付け、このリンク片10,11の中途部に支持体3,4の外側端部を長孔12,13を介して回動自在に連動連結している。
【００１９】
操作機構８は、柄２の中途部に操作具７の基端部を上下回動自在に取付け、この操作具７の中途部に左右一対の操作リンク14,15の基端部を回動自在に取付け、この操作リンク14,15の中途部を柄２の下端部で摺動自在に支持するとともに、操作リンク14,15の先端部に連動体16の上端部を取付け、さらに、この連動体16の下端部に支持体3,4の内側端部を回動自在に連動連結している。
【００２０】
そして、清掃用具１は、操作機構８の操作具７を下方に向けて回動させると、それに連動して操作リンク14,15が下方に向けて移動するとともに、開閉機構５のリンク片10,11の作用で左右の支持体3,4が下方に向けて回転し、図２に示すように、左右の支持体3,4が左右横一直線状に開放状態となり、これによって、清掃具６を直線状に保持する清掃姿勢となる。
【００２１】
一方、清掃用具１は、操作機構８の操作具７を上方に向けて回動させると、それに連動して操作リンク14,15が上方に向けて移動するとともに、開閉機構５のリンク片10,11の作用で左右の支持体3,4が上方に向けて回転し、図４に示すように、左右の支持体3,4が対向して閉塞状態となり、これによって、清掃具６を中心部で折曲することによって圧縮脱水する脱水姿勢となる。
【００２２】
このように、清掃用具１は、操作具７を操作することによって、図２に示す清掃姿勢と、図４に示す脱水姿勢とに姿勢変更できるようになっている。
【００２３】
この清掃用具１において、各支持体3,4には、図５に示すように、清掃具6を保持するための貫通状の係入孔17〜24を開閉中心側（内側）とそれに離反する側（外側）の前側と後側にそれぞれ形成している。
【００２４】
しかも、各係入孔17〜24は、支持体3,4の開閉中心から離反する側（外側）であって、対向する係入孔17〜24の離反する側（前側の係入孔17〜20の前側、後側の係入孔21〜24の後側）の部分に幅狭の係止爪25〜32を形成している。
【００２５】
一方、清掃具６には、図６に示すように、可撓性及び吸水性を有するスポンジ33の上面に可撓性を有する支持板34を貼着するとともに、この支持板34の上部に支持体3,4の係入孔17〜24に係入する係止片35〜42を開閉中心側（内側）とそれに離反する側（外側）の前側と後側にそれぞれ形成している。
【００２６】
そして、清掃具６の係止片35〜42を支持体3,4の係入孔17〜24に挿入した後に、清掃具６を外側へ向けて移動させることによって、支持体3,4の係止爪25〜32で係止片35〜42の係止溝43〜50が係止され、これにより、支持体3,4に清掃具６を装着することができる。
【００２７】
一方、支持体3,4に装着された清掃具６を内側へ向けて移動させることによって、支持体3,4の係止爪25〜32と係止片35〜42の係止溝43〜50との係止が解除され、支持体3,4から清掃具６を取外すことができる。
【００２８】
このように、上記構成の清掃用具１では、清掃具６の裏面に係止片35〜42を形成するとともに、この係止片35〜42を係入するための係入孔17〜24を支持体3,4に形成し、この係入孔17〜24の一部に幅狭の係止爪25〜32を形成して、この係止爪25〜32で係止片35〜42を支持するように構成している。
【００２９】
そのため、上記構成の清掃用具１では、清掃具６や支持体3,4を精度よく製造しなくても支持体3,4に清掃具６を着脱容易に取付けることができるので、清掃用具１の製造コストを低減することができる。
【００３０】
また、上記構成の清掃用具１では、係止爪25〜32を各係入孔17〜24における支持体3,4の開閉中心から離反する側（外側）に形成しているために、操作具７を操作することによって清掃姿勢から脱水姿勢に姿勢変更した際に、折曲された清掃具６の係止爪25〜32には支持体3,4の開閉中心から離反する方向（外側方向）に力が作用することになり、清掃具６の係止片35〜42が支持体3,4の係止爪25〜32に強固に係止されることになり、清掃姿勢から脱水姿勢に姿勢変更した際に清掃具６が支持体3,4から脱落してしまうのを防止することができる。
【００３１】
また、上記構成の清掃用具１では、係止爪25〜32を前後に対向させて形成した係入孔17〜24の離反する側（前側の係入孔17〜20の前側、後側の係入孔21〜24の後側）に形成しているために、清掃具６を前方或いは後方のいずれの向きで使用しても、清掃具６の係止片35〜42が支持体3,4の係止爪25〜32に係止されることになり、清掃中に清掃具６が支持体3,4から脱落してしまうのを防止することができる。
【図面の簡単な説明】
【００３２】
【図１】本考案に係る清掃用具を示す全体図（(a)正面図、(b)側面図）。
【図２】同正面拡大図（清掃姿勢）。
【図３】同側面拡大図。
【図４】同正面拡大図（脱水姿勢）。
【図５】支持体を示す平面図。
【図６】清掃具を示す全体図（(a)平面図、(b)正面図、(c)側面図）。
【図７】支持体と清掃具の連結状態を示す説明図（(a)平面視、(b)断面視）。
【符号の説明】
【００３３】
１  清掃用具                              ２  柄
3,4  支持体                               ５  開閉機構
６  清掃具                                ７  操作具
８  操作機構                              ９  保護カバー
10,11  リンク片                           12,13  長孔
14,15  操作リンク                         16  連動体
17〜24  係入孔                            25〜32  係止爪
33  スポンジ                              34  支持板
35〜42  係止片                            43〜50  係止溝
【図１】
0003121582.tif 000003
【図２】
0003121582.tif 000004
【図３】
0003121582.tif 000005
【図４】
0003121582.tif 000006
【図５】
0003121582.tif 000007
【図６】
0003121582.tif 000008
【図７】
0003121582.tif 000009